(57)【要約】【課題】導電バーの一側側のみに沿って分岐ブレーカが複数並設される形態の分電盤において、分岐ブレーカが設けられない側の導電バーが露出しないようにする。【解決手段】導電バー群８の一側側８４のみに沿って分岐ブレーカ５が複数並設される形態の分電盤１０であっても、導電バー支持体６および導電バーカバー７にて分岐ブレーカ５が設けられない導電バー群８の非接続部８６側が外部から露出しないように設けることが可能となる。【選択図】図６
2006005976.tif 000002
【特許請求の範囲】
【請求項１】
ケース本体と；
長手方向に対して垂直な方向に分岐ブレーカ接続部が設けられる複数の導電バーからなり、ケース本体に設けられる導電バー群と；
導電バー群の一方の端部に接続されてケース本体に設けられる主幹ブレーカと；
導電バー群の分岐ブレーカ接続部の一側側の側方のみに配置されて接続された複数の分岐ブレーカと；
導電バー群の最も下側の導電バーよりも下方に導電バー支持部が形成されているとともに、分岐ブレーカが設けられていない分岐ブレーカ接続部側の少なくとも一部を覆う立上り片を導電バー支持部から一体となって形成し、導電バー群を支持する導電バー支持体と；
導電バー群の最も上側の導電バーを覆う導電バー覆い部が形成されているとともに、分岐ブレーカが設けられていない分岐ブレーカ接続部側の少なくとも一部を覆う立下り片を導電バー覆い部から一体となって形成し、この立下り片と導電バー支持体の立上り片とによって分岐ブレーカが設けられていない分岐ブレーカ接続部側が露出しないように設けられる導電バーカバーと；
を具備していることを特徴とする分電盤。
【発明の詳細な説明】
【技術分野】
【０００１】
本発明は、住宅や店舗などで使用される分電盤に関する。
【背景技術】
【０００２】
従来、単相３線式の分電盤では、１枚の中性極用の導電バーと２枚の電圧極用の導電バーとを用い、これら３枚の導電バーを互いに離間して重ねた状態に配置し、さらに、各導電バーの一端には主幹ブレーカと接続するための各接続バーを各ねじでそれぞれ取り付け、導電バーにはこの導電バーの両側に沿って並設される複数の分岐ブレーカを電気的に接続しているものが知られている。
【０００３】
各導電バーは、板状で細長く形成され、長手方向の両端を支持する端部支持体によって３枚の導電バーを互いに離間して重ねた状態に配置しているものである。
【０００４】
また、近年においては、導電バーの一側側のみに沿って分岐ブレーカが複数並設される形態の分電盤も知られている（特許文献１参照）。
【０００５】
この特許文献１記載の分電盤は、分岐ブレーカが設けられていない導電バーの一側側においては、作業者が誤って導電バーに触れる恐れがあったり、ごみや埃が入って導電バーに付着しやすいという不具合を解決するものであり、バー支持部材における第３極の導電バー側の端部に形成された第１引掛部と引掛部材における第１極の導電バーの第３極の導電バー側の端面よりも突出する部位に設けられた第２引掛部との間に第３極の導電バーを覆う平板状の保護カバーが取着されてなることを特徴とするものである。
【特許文献１】特願２００２―２９１１１７号
【発明の開示】
【発明が解決しようとする課題】
【０００６】
しかしながら、特許文献１に記載があるような構成であると、導電バーの支持部材、保護カバー、及び、最上方の導電バーである中性極バーを結束・絶縁のための結束部材を設けなくてはならないので、部材点数が多くなってしまうという課題がある。
【０００７】
また、特許文献１記載のような平板状の保護カバーは、長尺状に成形することが比較的容易であるので、長尺に形成した一枚の保護カバーを分岐ブレーカの回路数に対応する長さへ切断して用いるというのが一般的である。したがって、分岐ブレーカの回路数毎に長さの異なる保護カバーを保管しておくこととなるので、保護カバーの部品管理が煩雑となるいう課題もある。
【０００８】
さらにまた、分電盤を形成する際においても、保護カバーを引掛部に引掛ける工程を要するので、大変煩雑であるという課題もある。
【０００９】
本発明は、上記の点に鑑みなされたもので、導電バーの一側側のみに沿って分岐ブレーカが複数並設される形態の分電盤において、分岐ブレーカが設けられない側の導電バーを露出しないようにする部材の部品点数を少なくし、かつ、容易に形成することができる分電盤を提供することを目的とする。
【課題を解決するための手段】
【００１０】
請求項１記載の分電盤は、ケース本体と；長手方向に対して垂直な方向に分岐ブレーカ接続部が設けられる複数の導電バーからなり、ケース本体に設けられる導電バー群と；導電バー群の一方の端部に接続されてケース本体に設けられる主幹ブレーカと；導電バー群の分岐ブレーカ接続部の一側側の側方のみに配置されて接続された複数の分岐ブレーカと；導電バー群の最も下側の導電バーよりも下方に導電バー支持部が形成されているとともに、分岐ブレーカが設けられていない分岐ブレーカ接続部側の少なくとも一部を覆う立上り片を導電バー支持部から一体となって形成し、導電バー群を支持する導電バー支持体と；導電バー群の最も上側の導電バーを覆う導電バー覆い部が形成されているとともに、分岐ブレーカが設けられていない分岐ブレーカ接続部側の少なくとも一部を覆う立下り片を導電バー覆い部から一体となって形成し、この立下り片と導電バー支持体の立上り片とによって分岐ブレーカが設けられていない分岐ブレーカ接続部側が露出しないように設けられる導電バーカバーと；を具備していることを特徴とする。
【００１１】
請求項１記載の発明は、まず、主幹ブレーカをケース本体に設けて、次に主幹ブレーカのいわゆる二次側と導電バー群の一方側の端部とを接続しつつ導電バー郡をケース本体へ設ける。そして、導電バー群の分岐ブレーカ接続部の一側側の側方のみに複数の分岐ブレーカを適宜設けることで分電盤が形成される。
【００１２】
そして、この導電バー群を設ける際には、まず、導電バー群を支持する導電バー支持部材の導電バー支持部に、導電バー群の最も下側の導電バーが支持されるように導電バー群を設ける。さらに、導電バー群の最も上側の導電バーよりも上方に、導電バーカバーの導電バー覆い部を設ける。このとき、導電バー支持部材の立上り片の端部と導電バーカバーの立下り片の端部とが近接することによって、分岐ブレーカが設けられていない分岐ブレーカ接続部側が外部に殆ど露出しないようなる。
【００１３】
本発明によれば、ことにより、導電バーの一側側のみに沿って分岐ブレーカが複数並設される形態の分電盤であっても、分岐ブレーカが設けられない導電バーの一側側が外部から露出しないようにすることを導電バー支持体および導電バーカバーにて可能であるので、部品点数を少なくすることができる。
【００１４】
また、導電バーカバーを、例えば分岐ブレーカが並列方向に設けられた状態における４回路用と６回路用とを用いて種々組合わせることで、略全ての形態の分電盤をカバーすることができるので、導電バーカバーの形成が容易となるとともに、導電バーカバーの部品管理も容易となる。
【００１５】
これは、本願発明のような分電盤は、単相３線式であるので、複数の導電バーには夫々許容電流があり、それら各導電バーのバランスから、２枚の電圧極用導電バーに設けられる分岐ブレーカの数は略同一となるように形成されている。したがって、本願発明の形態ような分電盤であれば、並列方向に分岐ブレーカが偶数個設け得るように設計されているものである。ゆえに、導電バーカバーを数種類用意しておけば、それらを組合わせることで殆どの形態の分電盤に対応することができ、汎用性を高めることができるものである。
【００１６】
さらにまた、分電盤を形成する際には、支持部材に導電バー群を支持させて、かつ、導電バーカバーを設けるだけでよいので、組立作業が容易となる。
【発明の効果】
【００１７】
請求項１記載の発明によれば、導電バーの一側側のみに沿って分岐ブレーカが複数並設される形態の分電盤であっても、導電バー支持体および導電バーカバーにて分岐ブレーカが設けられない導電バーの一側側が外部から露出しないようにすることが可能であるので、部品点数が少なくても安全性を高めることができる。
【発明を実施するための最良の形態】
【００１８】
以下、本発明の一実施の形態を図面を参照して説明する。
【００１９】
図１は本実施形態の分電盤を示す正面図、図２は同じく図１の分電盤の右側面図、図３同じく図１の分電盤の扉３を取り外した状態を示す正面図、図４は図１の分電盤ユニットを示す正面図、図５は同じく図１の分電盤の側面断面図、図６は図５における導電バー群等を示す要部拡大断面図である。
【００２０】
分電盤１０は、ケース本体であるシャーシ１、カバー２、扉３、主幹ブレーカ４、分岐ブレーカ５、導電バーカバー６、導電バー支持部材７等で構成されているものである。
【００２１】
ベース１は、合成樹脂を成形して形成されており、前面に開口した開口部を有した薄い箱状をなし、リミッタースペースであるリミッター用ノックアウト部（なお、リミッター用ノックアウト部は、リミッタ−の電流容量や電力会社によって異なる複数のサイズに合わせてノックアウトできるように構成されているものである。）、主幹ブレーカ４および分岐ブレーカ５を複数並設することが可能である寸法に形成されている。
【００２２】
カバー２は、合成樹脂を成形して形成されており、ベース１の開口部を後述する主幹ブレーカ４および分岐ブレーカ５等の所要機器の操作部４１，５１を除いて被覆して、充電部が露出しないようにリミッターカバー２１、主幹ブレーカカバー２２、分岐ブレーカカバー２３が設けられている。
【００２３】
またカバー２は、ベース１の前面に着脱可能に配設されるが、分岐回路名またはその主な電気負荷名を表示できるような負荷表示部２４が形成されている。
【００２４】
そして、このシャーシ１、カバー２によって主幹ブレーカ用スペース１Ａ、分岐／一次送り分岐ブレーカ用スペース１Ｂ、リミッター用スペース１Ｃが設けられている。
【００２５】
扉３は、上辺の両側をカバー２に軸止して回動自在にカバー２の前面を覆うもので、カバー２を覆った状態では図示しない扉係止用係止部に係止する。
【００２６】
主幹ブレーカ４は、図３に示したように、前面に揺動操作によってスイッチの切替えを行う操作部４１が配設されている漏電ブレーカからなっている。
【００２７】
分岐ブレーカ５は、図３に示したように前面に揺動操作によってスイッチの切替えを行う操作部５１が配設されている配線用遮断器である。
【００２８】
また、分岐ブレーカ５は分電盤１０の長手方向に平行な方向に８個並列で配列されており、かつ、主幹ブレーカ４に並列に分岐接続されている。
【００２９】
ここで、シャーシ１に設けられる分電盤ユニット１１について詳述する。
【００３０】
図４は分電盤ユニット１１を示す一部省略正面図である。分電盤ユニット１１は、図４、５に示すように、単相３線式配線に対応したもので、主幹ブレーカ４、８個の分岐ブレーカ５、を具備し、これらが機器取付板１２に取り付けられ、これら機器取付板１２によってシャーシ１に取り付けられている。
【００３１】
機器取付板１２は、金属板製であり、一端側である左側には、主幹ブレーカ４が配設され、また、中央位置には分岐ブレーカを接続するための導電バー郡８、この導電バー郡８の一側側である下側に沿って複数の分岐ブレーカ５が並設されている。
【００３２】
なお、機器取付板１２には、分岐ブレーカ取付用のガイドレール１３が施されている。
【００３３】
主幹ブレーカ４は、図４に示すように、機器取付板１２に取り付けられる取付面と反対の前面に回路の遮断または接続を切り換える操作レバー４１を有し、主幹ブレーカ４の上部にはシャーシ１内に引き込まれる図示しない単相３線式の電源線が接続されて１００／２００Ｖの商用電源が供給される一次側端子部４２が設けられ、下部には導電バー郡に接続される二次側端子部４３が設けられている。
【００３４】
また、主幹ブレーカ４の二次側端子部４３と導電バー郡８とは、金属板製であり、対の電圧極の電圧極バー８２，８３および中性極の中性極バー８１によって電気的に接続されるようになっている。
【００３５】
また、主幹ブレーカ４の二次側端子部４３と接続バーとは、絶縁カバー４６によって一体的に覆われており、作業者等が感電することを防いでいる。
【００３６】
分岐ブレーカ５は、機器取付板１２に取り付けられる取付面と反対の前面に回路の遮断または接続を切り換える操作レバー５１を有しており、分岐ブレーカ５の取付面には、分岐ブレーカ取付部である各ガイドレール１３に取り付けられるガイドレール取付部（図示しない）が設けられている。
【００３７】
また分岐ブレーカ５は、図５，６に示すように、導電バー郡８側に臨む端部には導電バー郡８の２本の電圧極バー８２、８３および中性極バー８１に接続される３つの電源側接続部５３，５３，５３が設けられ、これら３つの電源接続部のうちの２つの接続端子５３，５３が負荷側の１００Ｖ配線か２００Ｖ配線かに応じて切換配置される。
【００３８】
また、分岐ブレーカ５の電源側接続部５３と反対の端部５４には負荷側接続部５４Ａが設けられ、この負荷側接続部には負荷側に配線する電線を挿入接続する対の接続孔(図示しない)が形成され、各接続孔に対応して端子を開放させて電線の挿脱を可能とする解除レバー５５が配設されている。
【００３９】
次に導電バー群８について図４、５、６を参照して詳述する。導電バー群８は、この導電バー群８の両端を支持する端部支持体９、９、導電バー支持体６および導電バーカバー７、７によって支持されて機器取付板１２に支持および設けられているものである。
【００４０】
導電バー郡８は、図５，６に示すように、２本の電圧極バー８２，８３および一本の中性極バー８１とが互いに重ならないような３層構造で形成されているものであり、これら導電バー８１〜８３は、電性を有する金属板にて分岐ブレーカ５の並設方向に対応した両端方向である長手方向に長く形成されたものであり、金属板素材から一括して同時に打ち抜き形成されている。また、各導電バー８１〜８３にはその中間部に長手方向に沿って複数の孔部が形成されているものである。
【００４１】
そして、これら導電バー８１〜８３は、その長手方向に対して垂直な方向であって、その一側側８４に分岐ブレーカ接続部８５が設けられている。さらに、一方の端部８７は、図４に示すように、接続バー４５と螺子４４により係合されて主幹ブレーカ４の二次側端子部４３と電気的に接続されている。
【００４２】
また導電バー群８は、導電バー郡８の両端部８６、８７とが３層構造の端部支持体９である絶縁ブロックによって支持され、かつ、互いに絶縁されるように設けられている。この絶縁ブロックは、絶縁性を有する樹脂製であって、図５，６に示すように、３本の導電バー８１，８２，８３を離間して順に重なる状態に支持するものである。
【００４３】
また導電バー群８は、導電バー支持体６、導電バーカバー７、７および絶縁リング体９５によってその中間部を支持されている。すなわち、図６に示すように、導電バー群８の最も下側に位置する電圧極バー８２を支持するとともに、電圧極バー８２と電圧極バー８３との間隔を絶縁リング９５によって保持される導電バー支持体６、および、導電バー群８の上側の中性極バー８１よりも上方に導電バー覆い部７１、７１が設けられている中性極バー８１と電圧極バー８３との間隔を絶縁リング体９５によって保持する導電バーカバー７、７によって、支持および保持がされている。
【００４４】
導電バー支持体６は、絶縁性を有する合成樹脂製で、図６に示すように、電圧極バー８２の裏面側に配置される導電バー支持部６１を有している。そして、この導電バー支持部６１から電圧極バー８２の各孔部８２Ａを通じて電圧極バー８３の各孔部に挿入される複数のスペーサ軸（図示しない）が一体に形成されている。そして、このスペーサ軸に絶縁リング体９５を挿入する。したがって、導電バー支持体６は、電圧極バー８２が取り付けられるとともに、導電バー支持体６と絶縁リング体９５とによって電圧極バー８２と電圧極バー８３との間隔がを保持される。
【００４５】
また導電バー支持体６には、導電バー支持部６１から一体となっており、分岐ブレーカ５が設けられない非接続部側８６へ立上っている立上り片６２が形成されている。この立上り片６２は、導電バー群８の非接続部側８６の下方側を覆うように形成されているものである。
【００４６】
導電バーカバー７、７は、絶縁性を有する合成樹脂製で、図６に示すように、分岐ブレーカ５が並列方向に設けられた状態における４回路用に対応する長さに形成されているものである。そして、導電バー群８の最も上側である中性極バー８１の表面側を覆いつつ分岐ブレーカ５の電源側接続部５３を覆う導電バー覆い部７１、７１を有し、この導電バー覆い部７１、７１から中性極バー８１の各孔部８１Ａを通じて電圧極バー８３の各穴部８３Ａに挿入される複数のスペーサ軸７２が一体に形成されている。そして、このスペーサ軸７２に絶縁リング体９５が挿入される。したがって、導電バーカバー７、７は、中性極バー８１に取り付けるられるとともに、導電バーカバー７と絶縁リング体９５とによって中性極バー８１と電圧極バー８３との間隔が保持される。
【００４７】
また各導電バーカバー７には、導電バー覆い部７１から一体となっており、かつ、分岐ブレーカ５が設けられない非接続部側８６へ立下がる立下り片７３が形成されている。この立下り片７３は、導電バー群８の非接続部側８６の上方側を覆うように形成されているものである。
【００４８】
本実施形態の導電バー群８の組立は、まず、導電バー支持体６と導電バーカバー７との間で、導電バー８１〜８３の中間部を挟み込んで保持する。つまり、導電バー支持体６のスペーサ軸を電圧極バー８２の穴部８２Ａを通じて電圧極バー８３の孔部に挿入し、この状態でスペーサ軸に絶縁リング体９５を挿入する。次に、電圧極バー８３の導電バー支持体６のスペーサ軸が挿通されていない孔部８３Ａの周囲に絶縁リング体９５を載置する。そして、導電バーカバー７，７のスペーサ軸７２を中性極バー８１の孔部８１Ａに挿通させた状態の導電バーカバー７，７および中性極バー８１を、そのスペーサ軸７２が孔部８３Ａに挿入されるよう設ける。これらの作業によって、導電バー支持体６は、電圧極バー８２に取り付けられるとともに電圧極バー８３との間隔を絶縁リング体９５で保持し、導電バーカバー７は、中性極バー８１に取り付けられるとともに電圧極バー８３との間隔を絶縁リング体９５で保持する。その後に続いて、導電バー８１〜８３の両端部８６，８６を両端の端部支持体９，９に支持および保持させる。
【００４９】
このように、端部支持体９，９、導電バー支持体６、導電バーカバー７、７および絶縁リング体９５により、導電バー８１〜８３を互いに離間して順に重ねた状態に支持する。そして、このような導電バー群８等を機器取付板１２に取り付け、導電バー群８の中間部の一側側８４に沿って並設される複数の各分岐ブレーカ５をそれぞれ接続する。
【００５０】
このような状態の導電バー群８は、導電バー支持体６および導電バーカバー７、７の立上り片６２と立下り片７３、７３との端部が互いに近接ないし当接するように設けられる。
【００５１】
本実施形態によれば、導電バー群８の一側側８４のみに沿って分岐ブレーカ５が複数並設される形態の分電盤１０であっても、分岐ブレーカ５が設けられない導電バー群８の非接続部８６側が外部から露出しないように設ける構成が、導電バー支持体６および導電バーカバー７にて可能であるので、部品点数が少なくとも作業者が不用意に導電バー群８に触れることを防ぐ安全性の高い構成を実現することができる。
【００５２】
また、導電バーカバー７を、分岐ブレーカ５が４個並列方向に設けられた状態に対応する４回路用で形成されているため、分岐ブレーカ５が４の倍数個設けられる複数の形態の分電盤に対応することが可能となるので、導電バーカバー７の形成が容易となるとともに、導電バーカバー７の部品管理も容易となる。
【００５３】
本効果について説明すると、本願発明のような分電盤１０は、単相３線式であるので、各導電バー８１〜８３には夫々許容電流があり、それら各導電バー８１、８２，８２のバランスから、電圧極バー８２，８３に設けられる分岐ブレーカ５の数は略同一となるように設定されているものである。したがって、本実施形態のような分岐ブレーカ５を横一列のみ並設する分電盤であれば、分岐ブレーカ５は偶数個設け得るようになっている。ゆえに、分岐ブレーカ５が４個並列に設けられた形態に対応できる導電バーカバー７を予め準備しておくことで、少なくとも４の倍数個分岐ブレーカが設けられる形態の分電盤には対応することができる。これにより、導電バーカバー７の汎用性も高めることができることとなる。
【００５４】
なお、分岐ブレーカ５が６個並列に設けられた形態に対応できる導電バーカバーも予め準備しておくと、上記４回路用対応の導電バーカバー７と組合わせることで殆どの形態の分電盤に対応することができるので、より汎用性を高めることができることとなる。
【００５５】
さらにまた、本実施形態においては、導電バー支持体６、導電バーカバー７、絶縁リング体９５および端部支持体９，９を手順よく組み立てることで導電バー群８を支持、形成することが可能であることにより、この導電バー群８の組立手順が容易となることで、分電盤１０の製造効率も高めることができる。
【００５６】
なお、上記した３層構造の導電バー群８は本実施形態等に記載された構成に限られたものではなく、３層構造を有していれば特に限定されないのはいうまでもない。
【図面の簡単な説明】
【００５７】
【図１】一実施形態の分電盤を示す正面図
【図２】同じく図１の分電盤の右側面図
【図３】同じく図１の分電盤の扉を取り外した状態を示す正面図
【図４】同じく図１の分電盤ユニットを示す正面図
【図５】同じく図１の分電盤の側面断面図
【図６】図５における導電バー群等を示す要部拡大断面図
【符号の説明】
【００５８】
１・・・ケース本体であるシャーシ、４・・・主幹ブレーカ、５・・・分岐ブレーカ、６・・・導電バー支持体、７・・・導電バーカバー、８・・・導電バー郡、１０・・・分電盤
【図１】
2006005976.tif 000003
【図２】
2006005976.tif 000004
【図３】
2006005976.tif 000005
【図４】
2006005976.tif 000006
【図５】
2006005976.tif 000007
【図６】
2006005976.tif 000008